(57)【要約】 【課題】  本発明の目的は、ビール樽からビールコックへ至るまでのビールの流路に、酵母菌が繁殖し付着するのを防ぎ、且つ洗浄作業にできるだけ負担を必要としないビール供給装置を提供すること。 【解決手段】  ビール樽Ｔからビールコック５へ移送中のビールを、不凍液が充填された冷却水槽に浸された冷却蛇管２３に流通させ、マイナス温度のビールを注出するビール供給装置１において、前記ビール樽と、 該ビール樽と前記冷却水槽２４を連通するビールホース１３の少なくとも一部と、を収容する冷蔵装置２が設けられているビール供給装置。 【発明の効果】ビールホースの洗浄回数をより少なくすることができる。   ビール自体がビール樽のまま冷蔵装置によって冷やされた後、冷却水槽中の不凍液で冷却されるため、冷凍液による冷却負担が軽減される。 【選択図】  図４
2006044690.tif 000002
【特許請求の範囲】
【請求項１】
ビール樽からビールコックへ移送中のビールを、不凍液が充填された冷却水槽に浸された冷却蛇管に流通させ、マイナス温度のビールを注出するビール供給装置において、 
前記ビール樽と、 該ビール樽と前記冷却水槽とを連通するビールホースの少なくとも一部と、を収容する冷蔵装置が設けられていることを特徴とするビール供給装置。 
【請求項２】
前記ビール樽内のビールを圧縮し、該ビールを前記ビールコックへ圧送するためのガスボンベが、前記冷蔵装置内に設けられたことを特徴とする請求項１に記載のビール供給装置。 
【請求項３】
前記冷蔵装置内には、予備用のビール樽が複数個収納されていることを特徴とする請求項１に記載のビール供給装置。 
【請求項４】
前記冷蔵装置内の温度は、４℃以下の温度に維持することが可能であることを特徴とする請求項１に記載のビール供給装置。 
【請求項５】
前記不凍液の温度は、−３℃〜−２℃に維持することが可能であることを特徴とする特徴とする請求項１に記載のビール供給装置。 
【請求項６】
前記ビールホースの外気に露出した部分は断熱材で被覆したことを特徴とする請求項１に記載のビール供給装置。 
【請求項７】
前記冷却水槽内にヒータを設けたことを特徴とする請求項１に記載のビール供給装置。 
【発明の詳細な説明】
【技術分野】
【０００１】
本発明は、ビールコックから冷えたビールを注出するビール供給装置に関する。 
特に、ビールの味にこだわり、ビールが流通するビールホースに細菌が発生するのを極力抑えたビール供給装置に関する。 
【背景技術】
【０００２】
従来、ビヤホール等の飲食店において、ビールを氷点下の温度まで冷やしてからビールジョッキに注ぎ込み、特有の清涼感のあるビールを来客者に提供することが行われている（例えば、特許文献１参照）。 
このような、いわゆるマイナスビールを提供する装置としては、例えば図６に示す装置が知られている。 
このビール供給装置は、不凍液Ｙが充填された水槽１０１を備えており、この水槽１０１には不凍液Ｙの中を通るように冷却蛇管１００が設けられている。 
【０００３】
また水槽１０１内には、不凍液Ｙをマイナス温度まで冷却するための冷却媒体（ガス）が流れる蒸発管１０３が配置されており、不凍液Ｙを撹拌する攪拌スクリュー１０４も備わっている。   冷却媒体は下方に設けられた冷凍機１０２に配設されたコンプレッサにより供給される。 
このようなビール供給装置では、ビールは水槽１０１の中の冷却蛇管１００を通って冷凍液によりマイナス温度にまで冷却され、過冷却された状態でビールジョッキに注出される。 
【０００４】
【特許文献１】特開２００３−２６２９２号公報
【発明の開示】
【発明が解決しようとする課題】
【０００５】
しかしながら、上述したような従来のビール供給装置では、ビール樽Ｔと水槽１０１とを接続するビールホース１０５の部分にビールに含まれている酵母菌（これ自体は無害である）が繁殖し易い。 
すなわち、ビールホース１０５の内壁に酵母菌が繁殖して小さい塊となって付着する。
ビールホース１０５内に付着した酵母菌の小さい塊は、時としてビールに混入する場合がある。
もっとも、この付着物は全く無害であるが、ビールの品質を保つためにもビールホース１０５内を洗浄して取り除いてやる必要がある。 
そのためビールホース１０５は念を入れて洗浄することが重要であり、これがまた作業上の負担であった。 
【０００６】
なお、この酵母菌は、５〜６５℃の範囲で増殖し、特に２０〜４０℃の範囲で増殖が活発化し、また酵母菌、４℃以下では休眠状態にあって増殖せず、７５℃以上であると死滅するのが一般的とされている。
【０００７】
本発明は、かかる背景技術をもとになされたもので、上記の背景技術の問題点を克服するためになされたものである。 
すなわち、本発明は、ビール樽からビールコックへ至るまでのビールの流路に、酵母菌が繁殖し付着するのを防ぎ、且つ洗浄作業にできるだけ負担を必要としないビール供給装置を提供することを目的とする。 
【課題を解決するための手段】
【０００８】
かくして、本発明者は、このような課題背景に対して鋭意研究を重ねた結果、ビール樽を冷蔵装置内に収容し、ビール樽からビールコックへ至るまでのビールの流路を少しでも低温状態に保つようにすることで、上記の問題点を解決することができることを見出し、この知見に基づいて本発明を完成させたものである。
【０００９】
すなわち、本発明は、（１）、ビール樽からビールコックへ移送中のビールを、不凍液が充填された冷却水槽に浸された冷却蛇管に流通させ、マイナス温度のビールを注出するビール供給装置において、前記ビール樽と、該ビール樽と前記冷却水槽とを連通するビールホースの少なくとも一部と、を収容する冷蔵装置が設けられているビール供給装置に存する。 
【００１０】
また、本発明は、（２）、前記ビール樽内のビールを圧縮し、該ビールを前記ビールコックへ圧送するためのガスボンベが、前記冷蔵装置内に設けられた上記（１）に記載のビール供給装置に存する。 
【００１１】
また、本発明は、（３）、前記冷蔵装置内には、予備用のビール樽が複数個収納されている上記（１）に記載のビール供給装置に存する。 
【００１２】
また、本発明は、（４）、前記冷蔵装置内の温度は、４℃以下の温度に維持することが可能である上記（１）に記載のビール供給装置に存する。 
【００１３】
また、本発明は、（５）、前記不凍液の温度は、−３℃〜−２℃に維持することが可能である上記（１）に記載のビール供給装置に存する。 
【００１４】
また、本発明は、（６）、前記ビールホースの外気に露出した部分は断熱材で被覆した上記（１）に記載のビール供給装置に存する。 
【００１５】
また、本発明は、（７）、前記冷却水槽内にヒータを設けた上記（１）に記載のビール供給装置に存する。 
【００１６】
なお、本発明の目的に添ったものであれば、上記（１）から（８）を適宜組み合わせた構成も採用可能である。 
【発明の効果】
【００１７】
本発明によれば、ビール樽からビールコックへ移送中のビールを、不凍液が充填された冷却水槽に浸された冷却蛇管に流通させ、マイナス温度のビールを注出するビール供給装置において、ビール樽と、該ビール樽と冷却蛇管とを連通するビールホースの少なくとも一部と、を収容する冷蔵装置を設けたので、ビールの供給流路に酵母菌が付着するのを極力抑えることができる。 
またそのためビールホースの洗浄回数をより少なくすることができる。 
ビール自体がビール樽のまま冷蔵装置によって冷やされた後、冷却水槽中の不凍液で冷却されるため、冷凍液による冷却負担が軽減される。 
【００１８】
また、ビール樽が冷蔵装置内に収容され恒温状態で保存されることで、ビール樽内のビールの温度が安定し、ガスボンベを用いてビール樽内のビールをビールコックへ向けて圧送する場合は、そのために加える圧力を一定値で管理することができ、周囲温度の変化に応じて押圧値をこまめに変更する手間を省くことができる。 
この押圧値は、ビールをジョッキに注いだ時の泡立ちに影響を与えるので、ビール樽を恒温管理することで、常時安定した状態の泡立ちのビールを提供することができると共に、確実においしいビールを提供することができる。 
【発明を実施するための最良の形態】
【００１９】
以下、本発明を実施するための最良の形態を図面に基づいて説明する。 
〔第１実施形態〕 
図１は、本発明の第１実施形態に係るビール供給装置の正面図である。 
図２は、ビール供給装置１の側面図である。 
なお、本発明のビール供給装置はビール樽からビールコックへ移送中のビールを、不凍液が充填された冷却水槽に浸された冷却蛇管に流通させてマイナス温度のビールを注出するビール供給装置である。 
【００２０】
これらの図に示すように、ビール供給装置１は、キャスター付きの冷蔵装置２と、この冷蔵装置２上に載置されたビール注出装置３と、冷蔵装置２内のビール樽Ｔ（図３に記載）に圧力を加えビールを圧送するための炭酸ガスボンベ４とを備えている。 
冷蔵装置２は、その正面側が取っ手２ｂ付きの扉２ａとなっており、この扉２ａは回動金具１０を介して冷蔵装置本体２ｃに対して開閉自在であるから、ビール樽の交換が容易に行える。 
ビール注出装置３には、例えば、−２．５℃〜−３℃のビールが注出されるビールコック５が設けられている。 
すなわち、このビールコック５を介して清涼感のある０℃未満に冷えたビール（通称マイナスビール）を注出できるようになっている。 
【００２１】
なお、一般にビールはアルコールを含有しているため、マイナス３℃程度にビールを冷却しても凍結することはなく、敢えて３℃より低い方向へ温度を下げて行くと、ビールはシャーベット状に凍ってくる。 
ビール供給装置１には、ビールコック５と同程度の高さ位置に温度コントローラ６が取り付けられており、ビールコック５を操作しながらビール供給装置１内の温度を視認することができる。   この温度コントローラ６は、ビールの冷却温度を調節できる機能を有しており、ビールコック５から注出されるビールの温度管理を行う。 
【００２２】
温度コントローラ６の上方には、パイロットランプ７が設けられており、このパイロットランプ７は、冷蔵装置本体２ｃの後方下側の窪み部２ｃ１に設けられたコンプレッサ１１を作動させることで点灯する。
このコンプレッサ１１は、図示しない冷却蛇管に冷却媒体（ガス）を圧縮して供給する役割も果たしている。
更に、ビール供給装置１には、ビールコック５の下方に、ビールジョッキを載置するための受け皿８が設けられている。 
【００２３】
図３は、ビール供給装置１の冷蔵装置２の内部構造を示している。 
図に示すように、この冷蔵装置２内には少なくとも２缶のビール樽Ｔ，Ｔ１が積み重ねられ収納可能となっている。 
下側のビール樽Ｔ１は、上側のビール樽Ｔが空になった場合に使用される予備用のストック品である。 
ビール樽Ｔは冷蔵装置２により効率良く冷却されるように通常、金属製（例えばアルミニウム製）の樽が使用される。 
上側のビール樽Ｔと炭酸ガスボンベ４とは、ガスホース１２を介して接続され使用可能な状態とされる。 
【００２４】
ビール樽Ｔが冷蔵装置２に収納された場合は、ビールホース１３とガスホース１２が接続されたヘッド１４とを、ビール樽Ｔの頂部に設けたフィッティング口金に取り付けた状態となる。 
そして、炭酸ガスボンベ４の先端に設けたガスの元栓を開き、圧力調整器１５の調整ハンドルを回して、ガスホース１２内に出て行く炭酸ガスの圧力をビール樽Ｔ内のビールの温度（ここでは、冷蔵装置２の設定温度）によって決まる適正な値になるように調整すれば良い。 
【００２５】
ところでビールホース１３は、その少なくとも一部が冷蔵装置２で冷却される状態にあり、具体的には、図に示すようにビールホース１３の一部が冷蔵装置２に収納（収容）される。 
収納されてなく外部に露出している部分は、図４に示すように、断熱材２９により被覆され、外気により温度交換されて温められるのを可能な限り防止している。 
よって従来のようにビールホース１３の全部が外気に晒されている（すなわち露出している）のと違って、ビールホース１３の温度（具体的には内壁の温度）は上昇しない。 
ここで図４に２点鎖線で示すように、ビールホース１３の全部を冷蔵装置２に収納されるようすることもでき、この場合はビールホース１３の全部が積極的に冷却されることとなる。 
【００２６】
いま、ビール供給装置１を使用可能な状態にするには、ヘッド１４のハンドルを操作してビール樽Ｔのフィッティング口金内のガス流路を開状態にし、炭酸ガスの圧力がビール樽Ｔ内のビールに作用するようセットする。 
この状態でビールコック５のレバーを手前に引くと、ビール樽Ｔ内のビールは、炭酸ガスの圧力によってビールホース１３及び冷却蛇管２３を流れてビールコック５から下方にある受け皿上のビールジョッキに注がれることとなる。 
なお、ここで説明している図４は、ビール供給装置１における冷蔵装置２、及びビール注出装置３の内部構造を示していることはいうまでもない。 
【００２７】
先述した冷蔵装置２のコンプレッサ１１により、液化した冷却媒体は気体となり図示しない冷却パイプに送り込まれ、コンデンサ１６において吸熱されて冷蔵装置内は冷却される。 
一方、ビール注出装置３には、その下部に冷却パイプ１７を冷却して冷却水槽内の不凍液Ｙを冷却するために冷凍機１８が設けられている。 
この冷凍機１８は、冷却パイプ１７に冷却媒体を圧縮供給するためのコンプレッサ１９と、このコンプレッサ１９によって圧縮供給した冷却媒体を放熱するための放熱器２０と、外気を冷却風として放熱器２０に供給するための冷却ファン２１等を備えている。 
【００２８】
放熱器２０の近傍には、ビール樽Ｔから延びるビールホース１３を冷却蛇管２３に連結する部分である接続口２２が設けられている。 
この接続口２２にビールホース１３を接続することで、ビール供給装置１と冷蔵装置２とのビール流路が一体に連通する。 
なお接続口２２の下方には、冷却水槽２４内の不凍液Ｙを図示しない排出通路を介して流すための排出口２５が設けられている。 
また冷却水槽２４の中央には、不凍液Ｙを攪拌するためのモータＭで駆動される攪拌スクリュー２６が設けられており、これにより不凍液Ｙが均等に冷却される。
【００２９】
次に、参考までにビール供給装置１の温度管理について説明する。 
ビール供給装置１の温度管理としては、ビール樽Ｔ，Ｔ１を収容する冷蔵装置２内の温度管理と、冷却水槽２４によるビール注出温度の管理を行う。 
冷蔵装置２内の温度は、４℃以下の恒温状態になるように管理することが好ましい。 
何故なら、４℃以下で保存することにより、酵母菌の活発な繁殖が抑えられてビールホース１３にそれが付着しにくくなるためである。 
もっとも、経済的な電力コストの観点から夏場（通常、外気温度又は室温が酵母菌の増殖が活発化する２０℃以上の温度となる）は１０℃以下に管理することがある。 
【００３０】
本発明のビール供給装置１では、このビール供給装置１を外気に置いたり又は室内に置いたりしても、ビール樽Ｔの低温管理が常に可能である。 
一方、ビール注出温度は、本装置の場合、マイナス温度まで冷却することが条件である。 
不凍液の温度を０℃より低いマイナス温度、好ましくは−３℃〜−２．５℃に保つことで、冷却蛇管内のビールの温度もそれと同様な温度に冷却されて、特有の清涼感のあるビールとなる。
温度管理全体として見た場合、ビールは冷蔵装置２で既に室温より低く（例えば４℃以下に）冷却されているために、この冷却水槽２４の不凍液による冷却が比較的負担なく行える。 
【００３１】
〔第２実施形態〕 
図５は、本発明の第２実施形態に係るビール供給装置の正面図である。 
なお、この第２実施形態では第１実施形態に対する相違点についてのみ説明し、同一構成部材等には同一の符号を付する。 
この第２実施形態では、冷却水槽２４内にヒータ２８が設けられている点で第１実施形態とは異なっている。 
このヒータ２８は、不凍液Ｙを昇温させるためのものであり、加熱効率から棒状で電気式のものが使われる。 
ここでヒータ２８を用いている理由を述べると、ビール供給装置１において は、ビールの流れる経路に対して、先述したように付着物等を除去する意味からも使用後は洗浄することが通常的に行われている。 
しかし、使用後、すぐに冷却蛇管２３に洗浄液を通過させると、不凍液がマイナス温度になっているために洗浄液（水等）が凍ってしまって洗浄が不可能となる。 
【００３２】
そのため、一旦、マイナス温度まで冷却された冷凍液を時間をかけてプラス温度になるまで上昇させなければならない。 
しかし、室温による温度上昇には時間がかかり過ぎ、洗浄作業が極めて効率が悪い。
本発明では、冷却水槽２４内に棒状のヒータ２８を設けたために、このヒータ２８によって不凍液を速やかに加熱することができる。 
【００３３】
すなわち、本発明のビール供給装置１では、ヒータ２８を使って不凍液を積極的にプラス温度（例えば１℃）に加熱して、洗浄液が凍らない温度まで上げることができるのである。 
その際、攪拌スクリュー２６を攪拌して均一に不凍液全体の温度が上昇するようにすることはいうまでもない。 
本来、冷却を目的とする冷却水槽２４にはヒータは全く無縁のものであるが、本発明のビール供給装置１の冷却水槽２４には敢えてこのヒータを設けたことにより、従来に比べ洗浄作業が極めて効率良く行われることとなった。 
【００３４】
以上、本発明を説明してきたが、本発明は上述した実施形態にのみ限定されるものではなく、その本質を逸脱しない範囲で、他の種々の変形が可能であることはいうまでもない。 
例えば、上述した実施形態では、炭酸ガスボンベ４を冷蔵装置２の近傍に配置した例について説明したが、炭酸ガスボンベ４も冷蔵装置２に収容するようにしても良い。 
このような構成にすれば、誤ってガスホース１２に足を引掛けてしまうようなことを防ぐことができる。 
【００３５】
また、ビール供給装置１を押して移動させることでビール樽Ｔ，Ｔ１や炭酸ガスボンベ４等の一切を含む全体をセットとして移動させることが可能である。 
また、上述した実施形態では、ビール注出装置３を冷蔵装置２の上に載置した例について説明したが、ビール注出装置３と冷蔵装置２とを一体化することも可能である。 
また、冷蔵装置２に収納される予備のビール樽を２個以上設けることも当然可能である。 
【図面の簡単な説明】
【００３６】
【図１】図１は、本発明の第１実施形態に係るビール供給装置の正面図である。
【図２】図２は、図１のビール供給装置の側面図である。
【図３】図３は、図１のビール供給装置の冷蔵装置の内部構造を示す説明図である。
【図４】図４は、図１のビール供給装置の冷蔵装置及びビール注出装置の内部構造を示す説明図である。
【図５】図５は、本発明の第２実施形態に係るビール供給装置を示す説明図である。
【図６】図６は、従来のマイナスビール供給装置を示す説明図である。
【符号の説明】
【００３７】
１  ビール供給装置 
２  冷蔵装置 
２ａ  扉 
２ｂ  取っ手 
２ｃ  冷却装置本体 
２ｃ１  窪み部 
３  ビール注出装置 
４  炭酸ガスボンベ 
５  ビールコック 
６  温度コントローラ 
７  パイロットランプ 
８  受け皿 
１０  回動金具 
１１  コンプレッサ 
１２  ガスホース 
１３  ビールホース 
１４  ヘッド 
１５  圧力調整器 
１６  コンデンサ 
１７  冷却パイプ 
１８  冷凍機 
１９  コンプレッサ 
２０  放熱器 
２１  冷却ファン 
２２  接続口 
２３  冷却蛇管 
２４  冷却水槽 
２５  排出口 
２６  攪拌スクリュー 
２８  ヒータ 
２９  断熱材 
１００  冷却蛇管 
１０１  水槽 
１０２  冷凍機 
１０３  蒸発管 
１０４  攪拌スクリュー 
１０５  ビールホース 
Ｍ  モータ 
Ｔ，Ｔ１  ビール樽 
【図１】
2006044690.tif 000003
【図２】
2006044690.tif 000004
【図３】
2006044690.tif 000005
【図４】
2006044690.tif 000006
【図５】
2006044690.tif 000007
【図６】
2006044690.tif 000008